(57)【特許請求の範囲】
【請求項１】
手動キャプチャ入力に応答してモバイルディジタルラジオ受信機で放送中の現在の歌を識別するメタデータを捕捉し、前記捕捉されたメタデータを前記ディジタルラジオ受信機から有線又は短距離無線接続経由で無線電気通信装置に送信し、前記捕捉されたメタデータを前記無線電気通信装置の第１のインタフェースを介して前記無線電気通信装置により受信するステップ、
前記無線電気通信装置において、前記メタデータの捕捉前にプリセットされた特定の音楽ベンダーを識別するメディア購入用のユーザプリファレンスを格納する購入設定部にアクセスするステップ、及び
前記無線電気通信装置において、前記プリセットされたユーザプリファレンス及び捕捉されたメタデータに基づいて購入要求を生成し、生成された購入要求を前記無線電気通信装置の第２の異なるインタフェースを介して遠隔位置に無線送信するステップを備え、
前記購入要求は前記メタデータで識別される現在の歌を前記ユーザプリファレンスで識別される特定のベンダーから自動的に購入するように構成されている、
ことを特徴とする方法であって、
前記購入設定部はベンダーの順位を識別し、前記方法は更に前記順位情報を用いて特定のベンダーを選択し、前記メタデータにより識別される現在の歌を前記選択された特定のベンダーで購入できない場合には、前記順位情報を用いて次に高い順位のベンダーを選択し、
前記無線電気通信装置において、前記捕捉されたメタデータを無線電気通信の音声チャネルを介して帯域内信号方式を用いてプレイリストサーバに転送する際に、
前記無線電気通信装置に対応する回線が利用可能であれば前記手動キャプチャ入力に応答して前記プレイリストサーバに対応する所定の電話番号への音声通話を自動的に確立し、
前記確立された音声通話の前記無線電気通信の音声チャネルを介して帯域内送信のために前記捕捉されたメタデータを変調して、前記捕捉されたメタデータを変調したものを前記確立された音声通話の前記無線電気通信の音声チャネルを介して帯域内転送し、
前記回線が話し中であると、前記捕捉されたメタデータを後の送信のために順番待ちする方法。
【請求項２】
前記生成された購入要求は、前記選択された特定のベンダーにより操作されるサーバ又は他のマシンにアドレス指定され、生成された購入要求は、前記選択された特定のベンダーに対応する購入設定部からの、前記選択された特定のベンダーに対するログイン及びパスワードを含むアカウント情報を含む、請求項１記載の方法。
【請求項３】
前記生成された購入要求はプレイリストサーバにアドレスして、前記プレイリストサーバが前記選択された特定のベンダーにより操作されるサーバ又は他のマシンに対するログイン及びパスワード情報にアクセスし、アクセスしたログイン及びパスワード情報を用いて前記サーバ又は他のマシンと通信するようにした、請求項１記載の方法。
【請求項４】
前記生成された購入要求の前記遠隔位置への前記無線送信は、前記生成された購入要求を無線ショートメッセージサービス（ＳＭＳ）、帯域内信号方式を用いる音声チャネルでのディジタル無線通話又は無線パケットデバイスサービス経由で送信することを含む、請求項１記載の方法。
【請求項５】
前記生成された購入要求は前記プリセットされたユーザプリファレンスから抽出される宛先アドレスを含み、前記宛先アドレスは前記無線電気通信装置から遠く離れて位置するコンピュータ装置に対応する、請求項１記載の方法。
【請求項６】
前記購入した歌を前記コンピュータ装置に自動的にダウンロードするステップを更に備える、請求項５記載の方法。
【請求項７】
前記プリセットされたユーザプリファレンスに従って複数の無線接続モードから一つを選択し、前記購入要求の無線送信を前記選択した無線接続モードを用いて実行するステップを更に備え、前記複数の無線接続モードは、少なくとも、帯域内信号方式を用いる音声チャネルでのディジタル無線通話経由の第１の送信モード及び無線ＳＭＳサービス及び無線パケットデータサービスの一方又は両方を用いる第２の送信モードを含む、請求項１記載の方法。
【請求項８】
車両内で現在の歌を受信し再生するディジタルラジオ受信機、
前記現在の歌を識別するメタデータを復号する前記ラジオ受信機内のコントローラ、
前記ラジオ受信機内の前記コントローラに結合され、前記メタデータを遠隔位置へ送信する車両内の長距離無線送信機、及び
前記コントローラをトリガして前記現在の歌を識別する前記復号されたメタデータを前記車両内の長距離無線送信機経由で送信せしめる前記ラジオ受信機内のキャプチャ入力ボタン又はソフトキーを備え、
前記コントローラは、ユーザプリファレンスを格納する購入設定部にアクセスし、前記メタデータにより識別される前記現在の歌に対する購入要求を生成するように構成され、前記格納ユーザプリファレンスは前記キャプチャ入力ボタン又はソフトキーを用いる前記トリガ前にプリセットされる、
ことを特徴とする車両システムであって、
前記現在の歌のメタデータを無線電気通信の音声チャネルを介して帯域内信号方式を用いて前記ディジタルラジオ受信機から遠隔サーバシステムに送信する手段と、
前記送信する手段に対応する回線が利用可能であれば前記現在の歌のメタデータの復号に応答して前記遠隔サーバシステムに対応する所定の電話番号への音声通話を自動的に確立する手段と、
前記確立された音声通話の前記無線電気通信の音声チャネルを介して帯域内送信のために前記メタデータを変調して、当該メタデータを変調したものを前記確立された音声通話の前記無線電気通信の音声チャネルを介して帯域内転送する手段と、
前記回線が話し中であると、前記メタデータを後の送信のために順番待ちする手段と、
を備え、
前記購入設定部はベンダーの順位を識別し、前記車両システムは更に前記順位情報を用いて特定のベンダーを選択し、前記メタデータにより識別される現在の歌を前記選択された特定のベンダーで購入できない場合には、前記順位情報を用いて次に高い順位のベンダーを選択する車両システム。
【請求項９】
前記コントローラをトリガして、前記購入設定部に格納されている前記プリセットされたユーザプリファレンスを用いて前記購入要求を生成し、送信せしめる前記車両内の購入ボタンを含む、請求項８記載の車両システム。
【請求項１０】
前記ボタンは音声インタフェースを含み、各ボタンは異なる音声コマンドに応答する、請求項９記載の車両システム。
【請求項１１】
前記コントローラは、複数の無線接続モードの中で現在利用可能な一つを識別し、前記生成された購入要求を現在利用可能な無線接続モードを用いて送信するように構成され、前記複数の無線接続モードは、少なくとも、帯域内信号方式を用いる音声チャネルでのディジタル無線通話経由の第１の送信モード及び無線ＳＭＳサービス及び無線パケットデータサービスの一方又は両方を用いる第２の送信モードを含む、請求項８記載の車両システム。
【請求項１２】
前記コントローラは、前記プリセットされたユーザプリファレンスに従って複数の無線接続モードから一つを選択し、前記生成された購入要求を前記選択された無線接続モードを用いて送信するように構成され、前記複数の無線接続モードは、少なくとも、帯域内信号方式を用いる音声チャネルでのディジタル無線通話経由の第１の送信モード及び無線ＳＭＳサービス及び無線パケットデータサービスの一方又は両方を用いる第２の送信モードを含む、請求項８記載の車両システム。
【請求項１３】
短距離無線送信機を介して前記ディジタルラジオ受信機に結合された第２の受信機を含み、前記短距離無線送信機はブルートゥース型のトランシーバの一部分である、請求項８記載の車両システム。
【請求項１４】
前記メタデータの捕捉及び送信を開始させるユーザ入力を含む、請求項８記載の車両システム。
【請求項１５】
前記プリセットされたユーザプリファレンスは、前記特定の音楽ベンダーの識別情報と前記特定のベンダーに対するログイン及びパスワードを含むアカウント情報を含む、請求項８記載の車両システム。
【請求項１６】
前記プリセットされたユーザプリファレンスは、前記送信された購入要求に応答して購入ファイルを自動的にダウンロードするための宛先アドレスを含む、請求項１５記載の車両システム。
【請求項１７】
前記プリセットされたユーザプリファレンスは前記購入要求を送信するための特定の無線サービスを含む、請求項１６記載の車両システム。
【発明の詳細な説明】
【技術分野】
【０００１】
本発明は、モバイルミュージック及びエンターテイメントシステムに関し、具体的には車内エンターテイメント及び通信システムと関連する音楽又は他のディジタルメディアアイテムの遠隔購入又は利用に関する。
【背景技術】
【０００２】
衛星ラジオは一部の自動車に装備されており、地上波放送ディジタルラジオがすぐにこれに続くものと期待されている。モバイル衛星ディジタルラジオ受信機は、一般に、ＡＭ／ＦＭアナログラジオ、ＣＤプレーヤ、ＭＰ３などの従来のオーディオ構成要素と車両エンターテイメントシステムに統合されている。場合によっては、無線電気通信（携帯電話）も、例えばハンドフリー操作のために、車両エンターテイメントシステムに統合されている。単一ユニットに詰め込まれるこうした機能のすべてが複雑なユーザインタフェースを生み出す。多くのユーザは既に利用可能な何百もの衛星ディジタルラジオ局の中から一つの局を見つけ出す方法さえまだ習得してない。
【０００３】
時々、ユーザは衛星ラジオである歌を聴いているとき、その歌を録音して後で再生したいことがある。この目的のために「ＸＭラジオレコーダ」などの市販装置が知られている。ＸＭラジオレコーダは、本質的にはディジタルオーディオレコーダで、市販されており、（図１に示されているように）衛星ラジオ受信機に接続して衛星ラジオで受信している歌を録音することができる。このような装置は専用装置であって、他の目的に使用できないため、比較的高価である。
【０００４】
衛星ラジオ又は他のディジタルラジオで再生されている歌（又はスピーチ、討論、その他のオーディオ放送アイテム）をキャプチャ（捕捉）するか、あるいは、少なくともこのような歌を記述するメタデータをキャプチャし、それを後で他の場所で再生もしくはアクセスすることができるようにプレイリストに加えるもっとよい方法がまだ必要とされている。車両の運転者又は他の乗員はこのような情報をきわめて容易に安価にキャプチャできるべきである。好適な実施例では、ユーザは自動車などの移動位置から所望の歌又は他のディジタルメディアアイテムの購入を自動的に開始することもできるべきである。
【発明の概要】
【０００５】
以下の説明は、例えば自動車内のディジタルオーディオ受信機で聴いている歌を含む歌のプレイリストを管理するとともに、モバイルラジオで聴いている所望の歌又は他のオーディオメディアアイテムをシームレスに購入する改良方法及びシステムを例示する好適な実施例を開示する。一実施例では、ユーザは車両ラジオで聴いている所望の歌を購入し、それをユーザの家又はオフィスのシステムに自動的にダウンロードすることができる。別の実施例では、購入した歌はユーザが乗っている車両にニアリアルタイムにダウンロードすることができる。車両では、その歌を将来の利用のために搭載エンターテイメントシステムに蓄積することができる。その歌は、加えて又は代わりに、ＰＤＡ、アイフォン、Ｇ１フォンなどのユーザのポータブルパーソナルデバイスにダウンロードすることもできる。（このようなアイテムはすべて「携帯電話」と総称する）。携帯電話は搭載エンターテイメントシステム又は他の車内システム（ＩＶＳ）にケーブル又はブルートォース（登録商標）トランシーバにより接続することができる。本発明の追加の特徴及び利点は、添付図面を参照して進められる好適な実施例の以下の詳細な説明から明らかになる。本明細書では本発明の特徴を自動車に関連して説明するが、本発明はオートバイ、乗用車、トラック、レクリエーショナルビークル（ＲＶ）、ボート、飛行機などに適用可能である。
【図面の簡単な説明】
【０００６】
【図１】ブルートゥース及び／又は有線インタフェースを用いるモバイルディジタルオーディオシステムの一実施例を示す簡略化したブロック図である。
【図２】携帯電話の構成要素を示す簡略化したブロック図である。
【図３】本発明の実施例による、衛星ラジオ、携帯電話及び遠隔プレイリストポータルシステム相互間の通信を示す通信の流れ図である。
【図４】本発明の一実施例によるプレイリスト管理システムの簡略化したシステムレベル図を示す。
【図５】本発明のいくつかの実施例のための操作環境を提供する車内エンターテイメント、通信及び制御要素ののうちの選ばれた特徴の簡略化したブロック図である。
【発明を実施するための形態】
【０００７】
以下の説明では、１つの応用における本発明の原理の説明のための一例として、選択した「歌」及び歌の「プレイリスト」の選択及び取り扱いが使用される。本発明の原理は、ディジタルコンテンツの他の例、例えば他の音声スピーチ、グラフィックスまたはビデオ資料にも適用することができる。例えば、特定のニュース放送をラジオで配信することができ、ユーザはこのニュース放送を後で家で聴くためにキャプチャしたいことがある。歌などのこうしたメディアアイテムは、本発明のパラメータに十分該当する。
【０００８】
本発明によれば、「ＸＭラジオレコーダ」又は類似の装置は不要になる。その代わりに、本発明の一実施例では、衛星ラジオのユーザインタフェースを修正して「キャプチャ」ボタン２０を設け、このボタンはユーザインタフェースにおける専用ボタンまたはソフトウェア設定ボタンとすることができる。ユーザは、自分がキャプチャしたい歌を聴くとき、衛星ラジオのユーザインタフェース上のボタン２０を押すだけでよい。一実施例によれば、この歌の音楽（音声内容）はそっくりそのままキャプチャされないで、その代わりに、歌の名前及び／またはこの歌を後で識別するのに適した他のメタデータがキャプチャされ、この点については本明細書でさらに詳細に説明される。
【０００９】
一部の自動車は、「自動車内臓ブルートゥース」２２に示すような、内蔵ブルートゥースシステムを有する。例えば、自動車は、ハンドフリー通話のために携帯電話に接続するマイクロフォン２４を備えるブルートゥースシステムを有することができる。一実施例では、ブルートゥーストランシーバ２２は、衛星ラジオ１２に有線接続することができる。ここで「有線」とは、直接的な電気接続に限定されない。むしろ、いくつかの実施例では、ＢＴ（ブルートゥース）トランシーバは、１つ以上の車内ネットワークまたはコントローラを経由してラジオに結合することができる。代案実施例では、衛星ラジオ１２自体が、同様の目的でラジオに内蔵されたブルートゥーストランシーバ２８を有することができる。独立したＢＴ受信機２２またはラジオＢＴ受信機２８のいずれも、本明細書で説明するように、ユーザの携帯電話と通信するために使用することができる。
【００１０】
動作中に、ユーザがキャプチャーボタン２０を押すと、ブルートゥースシステム（車載システム２２でも、衛星ラジオ１２に統合したシステム２８でも）が、図２のユーザの携帯電話２００へのメッセージを送信開始する。衛星ラジオは、好ましくはトランスポート層のソフトウェアを備え、このソフトウェアは、ＢＴインタフェースを利用して、歌情報を携帯電話に送り、そこからＩＢＳ（ＩＢＳモデム２０４経由で）、ＳＭＳまたはパケットデータ伝送チャネルでウェブポータルまたはサーバに送る。別の実施例では、メタデータがサーバに、帯域内音声チャネル接続経由で送られる。ウェブポータル（図４の４３０）及びサーバ（図４の４１０）は、以下でさらに説明される。
【００１１】
一般的な携帯電話２００を、簡略化した機能ブロック図形式で図２に例示する。この携帯電話は、ブルートゥーストランシーバ２０２を含む。無線ブルートゥースチャネル上の既定の起動信号に応答して、携帯電話は（内蔵ソフトウェアと共に）、現在の歌を記述するメタデータ（図１の参照番号４０）を衛星ラジオ１２からダウンロードし、次にこのメタデータを、ユーザの後の使用のためにサーバまたはウェブポータルに送信し、この点については以下でさらに説明される。「現在の歌」とは、ディジタルラジオで現在放送中の歌又は最後に放送された歌をいう。
【００１２】
図４は、本発明の一実施例によるプレイリスト管理システムの簡略化したシステムレベル図を示す。図では、音楽のオンラインベンダー（供給元）４０２（Amazon.com（登録商標）、iTunes（登録商標）、等）は、公衆がインターネット４００経由で利用可能なウェブサイトを有する。こうした接続、ウェブサイト、クライアント側のウェブブラウザ、等の詳細は周知である。一般に、ユーザは参照番号４０４で示すように、所望の音楽を「オンラインで」購入しダウンロードすることができる。これは、ベンダー４０２に有線または無線でウェブアクセスできるあらゆる適切な家庭または職場のコンピュータ４０６、ＰＣ、ラップトップコンピュータ、ＰＤＡ、等を用いて行われる。ユーザマシン４０６はデータ記憶装置４０８（ディスクドライブ、フラッシュドライブ、ネットワーク記憶装置、等）を有し、この記憶装置に、購入した音楽、他のメディアアイテム、及び関連するメタデータを記憶する。例えば、音楽メタデータは、アイテム毎に、歌（トラック番号）、アーティスト、タイトル、アルバム、年、ジャンル、長さ、符号化、及びディジタル著作権管理（ＤＲＭ）要素、のうち１つ以上を含むことができる。
【００１３】
本発明に整合するウェブポータル４３０は、例えばウェブページインタフェースを用いてインターネット４００経由でもアクセス可能である。ウェブポータル４３０はサーバ４１０に結合され、サーバ４１０は、本明細書で説明するユーザサービスを提供する。サーバ４１０は更に、適切なインタフェース（図示せず）を介して電気通信網（ＴＥＬＣＯ）４１２に結合され、地上通信線（ＰＳＴＮ）及び／または無線接続経由で、ユーザにサービス提供することもできる。特に、好適な実施例では、ユーザの携帯電話２００をサーバ４１０との通信に使用し、これについては以下で図３を参照してさらに説明される。携帯電話は、図１の移動ディジタルラジオ１２とサーバ４１０との間の情報伝達ルートとして機能する。上述したように、それにはＩＢＳ、ＳＭＳまたはパケットデータ輸送チャネルを用いるのが好ましい。しかし、同じ原理を、無線データ通信における将来の技術の進歩に適応させることができ、従って、本明細書に記載する規格及びプロトコルは、本発明の範囲を限定するものと解釈すべきでない。
【００１４】
サーバ４１０は、ユーザ名及びアカウント、ログイン、パスワード、及び実際のプレイリストを記憶するためのデータ記憶装置４２０に結合されている。プレイリストには、好ましくは、対応するユーザが名前を付けることができ、ユーザ選択プレイリスト名もユーザと関連してデータ記憶装置に記憶するのが好ましい。これに加えて、データ記憶装置４２０は、音楽または他のメディアアイテムを記述するメタデータを記憶するメタデータバッファ４２２を含む。メタデータバッファは、物理的に同じデータ記憶装置上にある必要はない。メタデータを含む音楽データは、バッファ４２２からユーザ装置４０６に、例えばサーバ４１０、ウェブポータル４３０及びインターネット４００を経由して送信することができる。
【００１５】
図３を参照すると、この図は、一実施例の主たる通信の流れ図を簡略化した形式で示す。図に示すように、時刻「Ａ」から始まり、ユーザが衛星ラジオ上のキャプチャーボタンを押すと、既に「オン」状態である（ＢＴチャネルを監視している）携帯電話は、時刻「Ｂ」においてブルートゥース（ＢＴ）キャプチャ信号を受信する。（図中の時刻表示「Ａ」〜「Ｍ」は、一連の事象を時間的に図の上から下に順に示しているにすぎず、これらの文字は信号の持続時間、遅延、等を何ら示すものではない。）次に、時刻「Ｃ」において、衛星ラジオは、現在の歌のメタデータを、ブルートゥースチャネルで携帯電話に伝達する。次に、携帯電話は、時刻Ｄから、ディジタル無線電気通信網の音声チャネルを介して、ウェブポータルまたは他の所定の宛先電話番号（例えば図４のサーバ４１０）への音声通話の確立を開始する。回線が話中であれば、時刻「Ｅ」まで発呼を順番待ちまたは反復することができる。
【００１６】
時刻「Ｆ」において、携帯電話とプレイリストウェブポータルシステム又はサーバとの間の通話が確立される。次に、時刻「Ｇ」において、携帯電話は、好適には帯域内信号方式（「ＩＢＳ」）を用いて、ウェブポータルとのログイン及びパスワード手続きを行う。帯域内信号方式とは、無線電気通信網の音声チャネルでデータを送信することをいう。これは、他の箇所で説明したように、ディジタルデータチャネルに優る利点を有する。ログインに成功した後の時刻「Ｈ」において、携帯電話のソフトウェアは、キャプチャしたメタデータをウェブポータルに送信する。必要に応じ、携帯電話のソフトウェアは、歌をキャプチャした時点の車両の位置も送信することができる。位置データは、携帯電話に搭載されたＧＰＳ受信機（図２の２１０）を用いるか、車載ネットワークを通して車両ナビゲーションシステムから取得するかのいずれかによって取得することができる。サーバがデータの受信を確認応答した後に、携帯電話は通話を停止する。
【００１７】
ウェブポータルまたはサーバでは、メタデータをユーザのプレイリスト（４２０）に追加する（時刻「Ｊ」参照）。例えば、これは、ユーザの車両に関連するプレイリストに対するデフォルトとすることができる。ユーザが自分の家または職場、あるいはウェブポータルシステムまたはi-Tunesのような音楽管理ソフトウェアにアクセスできる他の場所に戻ると（時刻「Ｋ」参照）、ユーザは自分のプレイリストに現在追加されたメタデータに基づいて、対応する歌をダウンロードする手順をとることができる。図５につき後により詳細に説明されるように、歌は自動的に購入することができ、ユーザにより選択されたプリセット宛先にダウンロードすることもできる。再び図４につき説明すると、一実施例では、プレイリストの更新が、図４の４４０に示すように、ユーザ装置に送信される。実際には、一つの場合にはこのデータはインターネットを横断する。次に、ユーザは、更新されたプレイリストを任意時刻（「Ｍ」）に実行して、以前に車両で移動中に衛星ラジオを通して初めて聴いた歌または他のメディアアイテムを楽しむことができる。
【００１８】
なお、好適な実施例では、前述したメタデータのダウンロードを実現するために、衛星ラジオに対するソフトウェア変更以外には、特別な装置を自動車内に必要としない点に注意されたい。さらに、内蔵ブルートゥース無線システムを有しない自動車では、ブルートゥース無線システムを衛星ラジオ内に設けることができる。そして最後に、本明細書で説明するように、図２の携帯電話の機能は、既知の多くの携帯電話に対する単なるソフトウェア変更によって実現することができる。さらに、これらのソフトウェア変更は、無線通話を介して、あるいはウェブポータルのような他のリソースからユーザ装置４０６を介して、電話機にダウンロードすることができる。
【００１９】
本発明の別の実施例では、ユーザ（乗客）は歌（又は他のメディアアイテム）をすぐに購入したいことがある。この実施例では、ユーザは購入コマンドを（図４に破線４９９で示される）中央サーバを経由することなく直接音楽ベンダーに送ることができる。ディジタル音楽ファイルを購入する例では、このようなベンダーとして、現在iTunes（登録商標）、Amazon.com（登録商標）、Rhapsody等がある。購入コマンドはユーザの携帯電話のユーザインタフェースで入力することができる。携帯電話は、ケーブル／クレードルにより、または、（例えばブルートゥース（登録商標）技術により与えられる）短距離無線技術により車両システムに接続されるものと考えられる。別の実施例では、購入要求は、以下でさらに説明されるように、車両のユーザインタフェース、例えばエンターテイメントシステムのインタフェースに入力することができる。
【００２０】
図５を参照すると、図５は車内エンターテイメント、通信及び制御要素のうちの選ばれた特徴の簡略化したブロック図を例示する。ここでは、ユーザの携帯電話（図示せず）は、ケーブルまたはクレードルなどを介して、モバイルインタフェース５６０として示されている車両システムに接続することができる。携帯電話は短距離無線トランシーバおよびコントローラ５４２を介して車両システムに結合することもできる。上述したように、ユーザは車両内で（ディジタル地上波ラジオ５０２又は衛星ラジオ５０４により）現在放送されている歌を購入するために携帯電話のユーザインタフェースで購入コマンドを起動することができる。コマンドは有線接続５６０又は無線接続５４２経由で通信コントローラ５４４により検出される。
【００２１】
通信コントローラの機能は多数の異なる方法で実施することができる。好ましくは、この機能は車内で利用可能な種々のコントローラ又はプロセッサのいずれかで実行可能なソフトウェアで実施することができる。一例では、５４４に示される別個の通信コントローラを設けることができる。別の例では、この機能はエンターテイメントコントローラ５０６で与えることができる（以下で更に説明される）。別の例示的な代替例では、この機能は一般に無線アクセスチップセットを備える無線ネットワークアクセスモジュール（ＷＮＡＭ）５３０内で実行可能なソフトウェアで実施することができる。説明のために、所望の機能を提供するものとして通信コントローラ５４４を参照する。
【００２２】
ユーザ（携帯電話インタフェース）からの購入コマンドの検出時に、通信コントローラ５４４は上述したリソースから現在の歌のメタデータをエンターテイメントバス５００及び／又は車両バス５４０経由で取得する。例えば、メタデータは図１につき説明したように衛星ラジオから取得することができる。次に、通信コントローラ５４４は、所望のアイテムを購入するために、取得したメタデータに基づいて又はこのデータを含む購入要求を作成し、その要求を選択したベンダーに送信する。この要求は特定のベンダーへの送信のために車両無線ネットワークアクセスモジュール５３０を介して送信することができる。購入要求は、図４に示すサーバ４１０を経由しないで特定のベンダーに直接送信することもできること明らかである。
【００２３】
一実施例では、コントローラ５４４はＷＮＡＭ５３０からインターネット経由で、選択された音楽ベンダーのウェブサイト、換言すれば特定のベンダーに対応する遠隔サーバにアクセスすることができる。ベンダー選択及びアドレス（ＵＲＬ）はコントローラ５４４（又は５０６，５１４などの他の利用可能なメモリ）に記憶することができる。これらの情報はユーザインタフェース（５４６，５１２）により、又はプログラムで時々刻々更新することができる。コントローラ５４４は、要求された購入の実行のために、予め記憶されたユーザに対する支払情報を持つこともできる。一実施例では、コントローラはＷＮＡＭ５３０経由で無線データ又は放送サービスを用いて購入要求を作成する。次に、コントローラは購入したアイテムのダウンロードを管理し、そのディジタルファイル、例えば音楽ファイルをエンターテイメントバス５００経由でメディア記憶ライブラリ５１４などのメモリに記憶する。
【００２４】
別の実施例では、携帯電話は全く必要ない。ユーザは、車両のユーザインタフェース、例えば５１２（エンターテイメントシステムのユーザインタフェース）又は別のインタフェース５４６（例えば車載コンピュータ／ナビゲーションシステムのインタフェース）により、又はダッシュボード又はハンドル上のボタンにより購入コマンドを入力するだけでよい。一実施例では、図１のキャプチャボタン（２０）に類似の「購入」ボタンを設けることができる。マイクロフォン５１０及び関連するオーディオ／ビデオコントローラ５０６によって音声コマンドを使用することもできる。この場合には、コントローラ５０６は通信コントローラ５４４に購入要求を通知する。上述したように、コントローラ５４４は現在の歌のメタデータを取得し、購入する。音声コマンドは、例えば以下のものを含むことができる。
【００２５】
【表１】
0005530450.tif 000002
【００２６】
代替実施例では、購入要求は、広帯域又はインターネット接続ではなくＳＭＳなどの無線メッセージサービスによりベンダーに送ることができる。この場合には、広帯域サービスによるダウンロードのために宛先アドレスを送信しなければならない。種々のデータサービスの間での選択のためのデフォルト又は選択基準は記憶しておくことができ、また設定可能にできる。この選択はそのとき利用可能な無線サービスに基づいて５３０で決定し、コントローラ５４４に報告することができる。
【００２７】
別の実施例では、帯域内モデム５７０を用いて購入要求を無線通話の音声チャネルでベンダーに送ることができる。
【００２８】
これらの実施例のいずれにおいても、所望の歌又は他の購入メディアアイテムを上述したように車両に、又はユーザの家もしくはオフィスに、又は他の予約した場所に、ダウンロードすることができる。例えば、ユーザは音楽保存サービスを提供するように構成されたインターネットロケーション／ウェブサイトに自分の全ての音楽を保存することができる。上述したように車両にダウンロードされる場合には、メディアアイテムは後でメディア記憶ライブラリ５１４から携帯電話にアップロードすることができる。
【００２９】
本発明の基本原理から逸脱することなく上述した実施例の細部に多くの変更をなし得ることは当業者に明らかであろう。従って、本発明の範囲は下記の請求項によってのみ決定されるべきである。
【図１】
0005530450.tif 000003
【図２】
0005530450.tif 000004
【図３】
0005530450.tif 000005
【図４】
0005530450.tif 000006
【図５】
0005530450.tif 000007